(57)【要約】【課題】温められたエアーを噴射して治療部位を乾燥させる機能を有するシリンジに、噴射するエアーを温めるための手段を設け、シリンジから温かいエアーを迅速に噴射するようにし、乾燥作業を素早く行う。【解決手段】ハンドピース１０は、先端１６ａからエアーを噴射することができ、そのエアーは加熱ヒータ２０によって行われる。ハンドピース１０は、エアー通路内の弁１３を開閉するための操作レバー１４を有し、該操作レバー１４を押下して弁１３を開く時に、該操作レバー１４の押下と連動してヒータ２０を加熱し、該ヒータ２０によってハンドピース１０から噴射されるエアーを加熱する。【選択図】図１
2007135679.tif 000002
【特許請求の範囲】
【請求項１】
先端からエアーを噴射することのできる歯科用ハンドピースであって、該ハンドピースは、エアー通路内の弁を開閉するための操作レバーを有するとともに、該操作レバーを押下して前記弁を開く時に、該操作レバーの押下と連動して加熱されるヒータを有し、該ヒータによって前記ハンドピースから噴射されるエアーを加熱するようにしたことを特徴とする歯科用ハンドピース。
【請求項２】
前記操作レバーによって押下されるラック杆を有し、該ラック杆はピニオン歯車と係合し、該ピニオン歯車の回転によって前記ヒータの回路に流れる電流が制御されることを特徴とする請求項１に記載の歯科用ハンドピース。
【請求項３】
前記ラック杆は、前記エアー通路を開閉する弁を有し、該弁の開閉動作と連動して、前記ヒータが加熱されるものであることを特徴とする請求項１又は２に記載の歯科用ハンドピース。
【請求項４】
前記ヒータは電気抵抗線から成ることを特徴とする請求項１乃至３のいずれかに記載の歯科用ハンドピース。
【請求項５】
前記電気抵抗線は、前記ハンドピース内のエアー通路内に配設されていることを特徴とする請求項４に記載の歯科用ハンドピース。
【請求項６】
前記電気抵抗線は、前記ピニオン歯車の回転によって変化される可変抵抗と直列に接続され、前記操作レバーの押下に応じてその抵抗値が減少するものであることを特徴とする請求項５に記載の歯科用ハンドピース。
【請求項７】
前記ヒータは前記弁が開かれた後に加熱されるものであることを特徴とする請求項１乃至６のいずれかに記載の歯科用ハンドピース。
【請求項８】
前記ハンドピースは先端より光を照射する光源を有し、該光源は前記操作レバーの押下と連動して点灯し、前記エアーが噴射される前に前記光源が点灯されることを特徴とする請求項１乃至７のいずれかに記載の歯科用ハンドピース。
【請求項９】
前記歯科用ハンドピースがシリンジであることを特徴とする請求項１乃至８のいずれかに記載の歯科用ハンドピース。
【発明の詳細な説明】
【技術分野】
【０００１】
本発明は、歯科治療において、治療部位に温風を吹き付けて該治療部位の水分を短時間で蒸発させ、該治療部位を短時間で乾燥させることのできる歯科用ハンドピースに関する。
【背景技術】
【０００２】
図３は、本発明が適用されるインスツルメントを有する歯科治療ユニットの一例を示す全体構成図で、歯科治療ユニットは、治療椅子１，ワークテーブル２，スピットン３，無影灯４，インスツルメントホルダ５，フットスイッチ６，アシスタントインスツルメントホルダ７，ハンドピース（インスツルメント）８，インスツルメントホース９等から成り、インスツルメントホルダ５には、歯科治療において術者が使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
上述のように、歯科治療に当り、術者は、インスツルメントホルダより施術に必要なインスツルメント（ハンドピース）を取り出して歯科治療を行うが、ハンドピースの中には、例えば、シリンジのように、ノズルからエアーを噴射して治療部位を乾燥させて、患部の水分をとって歯科治療をしやすくしたものがある。
【発明の開示】
【発明が解決しようとする課題】
【０００４】
上述のように、歯科治療用ハンドピースにおいて、特に、シリンジは、温められたエアーを噴射して治療部位を乾燥させる機能を有しているが、従来、温かいエアー（ホットエアー）がハンドピースから噴射されるまでに時間がかかり、乾燥作業を素早く行うことができなかった。
【０００５】
本発明は、上述のごとき実情に鑑みてなされたもので、シリンジの操作レバー（エアー噴射レバー）を押した時に、該シリンジの先端から素早く暖かいエアーが噴射され、診療時における治療部位の乾燥を迅速に行い得るようにして、歯科治療作業の効率化を図ったものである。
【課題を解決するための手段】
【０００６】
請求項１の発明は、先端からエアーを噴射することのできる歯科用ハンドピースであって、該ハンドピースは、エアー通路内の弁を開閉するための操作レバーを有するとともに、該操作レバーを押下して前記弁を開く時に、該操作レバーの押下と連動して加熱されるヒータを有し、該ヒータによって前記ハンドピースから噴射されるエアーを加熱するようにしたことを特徴としたものである。
【０００７】
請求項２の発明は、請求項１の発明において、前記操作レバーによって押下されるラック杆を有し、該ラック杆はピニオン歯車と係合し、該ピニオン歯車の回転によって前記ヒータの回路に流れる電流が制御されることを特徴としたものである。
【０００８】
請求項３の発明は、請求項１又は２の発明において、前記ラック杆は、前記エアー通路を開閉する弁を有し、該弁の開閉動作と連動して、前記ヒータが加熱されるものであることを特徴としたものである。
【０００９】
請求項４の発明は、請求項１乃至３のいずれかの発明において、前記ヒータは電気抵抗線から成ることを特徴としたものである。
【００１０】
請求項５の発明は、請求項４の発明において、前記電気抵抗線は、前記ハンドピース内のエアー通路内に配設されていることを特徴としたものである。
【００１１】
請求項６の発明は、請求項５の発明において、前記電気抵抗線は、前記ピニオン歯車の回転によって変化される可変抵抗と直列に接続され、前記操作レバーの押下に応じてその抵抗値が減少するものであることを特徴としたものである。
【００１２】
請求項７の発明は、請求項１乃至６のいずれかの発明において、前記ヒータは前記弁が開かれた後に加熱されるものであることを特徴としたものである。
【００１３】
請求項８の発明は、請求項１乃至７のいずれかの発明において、前記ハンドピースは先端より光を照射する光源を有し、該光源は前記操作レバーの押下と連動して点灯し、前記エアーが噴射される前に前記光源が点灯されることを特徴としたものである。
【００１４】
請求項９の発明は、請求項１乃至８のいずれかの発明において、前記歯科用ハンドピースがシリンジであることを特徴としたものである。
【発明の効果】
【００１５】
歯科用のシリンジからホットエアーの噴射を操作レバーの動作と連動して素早く行うようにしたので、操作レバーを操作した後に、ホットエアーが噴射されるまでの時間を待つことなく、効率良く歯科治療作業を行うことができる。
【発明を実施するための最良の形態】
【００１６】
図１は、本発明による歯科用ハンドピースの一例としてのシリンジの断面構成を示す図で、図中、１０は本発明によるハンドピース（シリンジ）、９は該ハンドピース１０にエアー、電気、水等を供給するためのインスツルメントホースで、ハンドピース１０内は、インスツルメントホース９内を伝達されてくるエアーを流すエアー通路１１、電気を流すリード線１２等が配設され、エアー通路１１からのエアーは、通常は、弁１３によってその流通が阻止されているが、操作レバー１４が押下されることによって、弁作動杆１５が下方に押し下げられて弁１３が開かれると、該弁１３の下流側のエアー通路１６を通して流れ、ハンドピース１０の先端１６ａより噴射される。一方、リード線１２は、ハンドピース１０内に設けられた、例えば、半導体レーザ等の光源１７に接続され、操作レバー１４が押下された時に、レーザ光を発生し、該レーザ光が光導体１８を通してハンドピース１０内を伝達され、その先端１８ａより照射され、被治療部位を照明する。なお、この照明は、エアーが噴射される前に行われ、エアーが噴射される前に、エアーを噴射する箇所を確認できるようにすることが好ましい。
【００１７】
操作レバー１４は、ばね部材１９によって常時は上方に押されており、また、弁１３はばね部材１９によって上方に押されており、これによって、弁１３を開状態としている。ここで、操作レバー１４をばね部材１９の力に逆らって押下すると、弁１３が弁作動杆１５によって押下され、これによって、弁１３が開かれ、該弁１３の上流側のエアー通路１１と下流側のエアー通路１６が連通し、ハンドピース１０の先端１６ａからエアーが噴射される。
【００１８】
上述のごとき歯科用ハンドピースにおいて、本発明は、該ハンドピース１０内に前記エアー通路１１又は１６内のエアーを加熱する加熱手段を有し、この加熱手段によって、エアー通路内のエアーを瞬時に温めようとするものである。この加熱手段は、エアー通路のエアーを迅速に加熱できるものならどのような加熱手段でもよいが、できれば、できるだけハンドピース１０の先端部に設け、加熱されたエアーが瞬時に先端の噴射口１６ａから噴射されるようにするとよい。なお、図１には、エアー通路１６の外側に加熱抵抗線２０を巻回しする例を示したが、エアー通路１６の内部に設ければ、より迅速にエアー通路内のエアーを加熱することができる。
【００１９】
図２は、上述のごとく作動する弁作動杆１５と、前記加熱ヒータ２０に流す加熱電流を調整する調整手段とを説明するための要部構成図で、図中、１４は操作レバー、１５は弁作動杆で、これらは、図１に示した操作レバー１４及び弁作動杆１５と同様に作用する。而して、図２に示した実施例においては、弁作動杆１５はラック杆で構成され、該ラック杆１５のラック歯車１５ａにピニオン歯車２１が係合して、弁作動杆１５を押圧した時に、ラック歯車１５ａに係合しているピニオン歯車２１が回転し、その回転軸２２に設けられているボリウム（可変抵抗）２３を変化する。この可変抵抗２３は、前述のヒータ用抵抗線２０と直列に接続されており、操作レバー１４を押し込むほどにその抵抗値が減少して、ヒータ用抵抗線２０に流す電流を大きくし、エアー通路１６内のエアーを徐々に温める。
【００２０】
而して、本発明は、患者の口腔内にホットエアーを噴射するものであるため、いきなり熱いエアーを噴射されると、患者が火傷する恐れがある。そのような場合、図２に示したように、ヒータの加熱抵抗を徐々に下げ、噴射エアーの温度を徐々に上げるようにすると、火傷等の危険なく、ホットエアーを噴射することができる。
【００２１】
更には、操作レバー１４又はピニオン歯車２１の回転軸２２が作動される時、その作動に先立って、光源１７を点灯するためのスイッチを設けておく時は、ホットエアーを噴出する前にハンドピース１０の先端１８ａから照明光を放射することができ歯科治療の開始に先立って、被治療部位を照明し、観察することができる。
【図面の簡単な説明】
【００２２】
【図１】本発明による歯科用ハンドピースの一実施例を説明するための要部断面図である。
【図２】本発明の実施に使用して好適な弁作動杆（ラック杆）及びピニオン歯車の関係を説明するための図である。
【図３】本発明が適用される歯科用ハンドピースが備えられている歯科ユニットの一例を説明するための図である。
【符号の説明】
【００２３】
１０…ハンドピース、１１，１６…エアー通路、１２…リード線、１３…エアー通路開閉弁、１４…操作レバー、１５…弁作動杆、１７…光源、１８…光導体、１９…ばね部材、２０…加熱抵抗線、２１…ピニオン歯車、２２…回転軸、２３…可変抵抗。
【図１】
2007135679.tif 000003
【図２】
2007135679.tif 000004
【図３】
2007135679.tif 000005